(57)【特許請求の範囲】
【請求項１】
上部デッキボードに形成された滑り止め部材挿入孔の下端部には、滑り止め部材挿入孔を架橋する脱落防止バーが形成されているとともに、滑り止め部材挿入孔の下部には、係止爪が形成されており、また、滑り止め部材挿入孔に挿着される滑り止め部材の下面には、前記脱落防止バーが挿入可能な脱落防止バー用溝が形成されているとともに、滑り止め部材の外周面には、係止爪用溝が形成されており、滑り止め部材挿入孔に滑り止め部材が挿着された際には、滑り止め部材の下面に形成された前記脱落防止バー用溝に、滑り止め部材挿入孔に形成された前記脱落防止バーが挿入されるとともに、滑り止め部材挿入孔の下部に形成された前記係止爪の水平面として形成された下面に、滑り止め部材に形成された前記係止爪用溝の下面が当接するように構成されており、更に、滑り止め部材の前記係止爪用溝を挟んで形成された凸部の一部が、上部デッキボードの下面から突出し、且つ、滑り止め部材が、上部デッキボードの上面から突出しないように構成されていること特徴とする合成樹脂製パレット。
【請求項２】
滑り止め部材に、滑り止め部材の厚さ方向に延びる凹み部が形成されていることを特徴とする請求項１に記載の合成樹脂製パレット。
【発明の詳細な説明】
【０００１】
【発明の属する技術分野】
本発明は、パレットのフォーク差し込み孔にフォークを挿入して、パレットを持ち上げた際に、フォークのパレット載置面と、フォークのパレット載置面と接触するパレットの上部デッキボードの下面との滑りを防止するための滑り止め部材が配設された合成樹脂製パレット（以下、単に、「パレット」ともいう。）に関するものである。
【０００２】
【従来の技術】
従来の滑り止め部材が配設された合成樹脂製パレットについて、図７を用いて説明する。
【０００３】
上部デッキボード１を構成するリブ１ａで囲まれた所定の空間２に滑り止め防止部材Ｓ’が挿着されるが、上記空間２側のリブ１ａの下部側面には、係止爪３が突設されている。一方、筒状或いは柱状に形成された滑り止め部材Ｓ’は、その高さが、上記空間２に滑り止め部材Ｓ’を挿着した際に、滑り止め部材Ｓ’の上部が、上部デッキボードの上面１ｂから突出するとともに、滑り止め部材Ｓ’の下部も、上部デッキボードの下面１ｃからも突出するように構成されている。また、滑り止め部材Ｓ’の外周面には、リブ１ａの下部側面に突設された係止爪３が挿入される環状溝４が形成されており、上記空間２に滑り止め部材Ｓ’が挿入されたときに、環状溝４に係止爪３が挿入される。
【０００４】
【発明が解決しようとする課題】
上述したパレットにおいては、リブ１ａに形成された係止爪３に、滑り止め部材Ｓ’の環状溝４が挿入することにより、滑り止め部材Ｓ’がパレットに取り付けられる構造であるため、滑り止め部材Ｓ’を、上部デッキボード１を構成するリブ１ａで囲まれた空間２に打ち込む作業の際に、滑り止め部材Ｓ’の環状溝４が、リブ１ａに形成された係止爪３を越えて打ち込まれてしまい、滑り止め部材Ｓ’の環状溝４に、リブ１ａに形成された係止爪３が挿入されないというミスが発生する。このために、滑り止め部材Ｓ’を、上記空間２から取り出した後、再度、滑り止め部材Ｓ’の打ち込み作業を行わなければならないという問題があった。特に、滑り止め部材Ｓ’を打ち込みすぎてしまった場合、上部デッキボード１の下面１ｃからの作業が困難であるために、上記空間２からの滑り止め部材Ｓ’の取り出し作業に、時間と労力がかかるという問題があった。また、このような打ち込みすぎをしないために、滑り止め部材Ｓ’の打ち込みを加減すると、滑り止め部材Ｓ’の環状溝４に、リブ１ａに形成された係止爪３を挿入されず、従って、滑り止め部材Ｓ’が抜けやすくなるという問題が生ずる。
【０００５】
また、上述したパレットにおいては、上部デッキボードの上面１ｂに載置された物品の滑り止め防止と、フォーク差し込み孔に挿入されたフォークと上部デッキボードとの間の滑り止め防止とを兼用するものであるために、滑り止め部材Ｓ’が、上部デッキボードの上面１ｂ及び上部デッキボードの下面１ｃの両方から突出しており、従って、滑り止め部材Ｓ’は、上部デッキボードの上面１ｂに載置された物品とフォークの両方からの外圧を受けるために、リブ１ａで囲まれた空間２から抜け出やすいという問題があった。
【０００６】
本発明の目的は、上述した従来の合成樹脂製パレットが有する課題を解決するとともに、滑り止め部材の打ち込み作業性の向上した合成樹脂製パレットを提供することにある。
【０００７】
【課題を解決するための手段】
本発明は、上述した目的を達成するために、第１には、上部デッキボードに形成された滑り止め部材挿入孔の下端部には、滑り止め部材挿入孔を架橋する脱落防止バーが形成されているとともに、滑り止め部材挿入孔の下部には、係止爪が形成されており、また、滑り止め部材挿入孔に挿着される滑り止め部材の下面には、前記脱落防止バーが挿入可能な脱落防止バー用溝が形成されているとともに、滑り止め部材の外周面には、係止爪用溝が形成されており、滑り止め部材挿入孔に滑り止め部材が挿着された際には、滑り止め部材の下面に形成された前記脱落防止バー用溝に、滑り止め部材挿入孔に形成された前記脱落防止バーが挿入されるとともに、滑り止め部材挿入孔の下部に形成された前記係止爪の下面に、滑り止め部材に形成された前記係止爪用溝の下面が当接するように構成されており、更に、滑り止め部材の前記係止爪用溝を挟んで形成された凸部の一部が、上部デッキボードの下面から突出し、且つ、滑り止め部材が、上部デッキボードの上面から突出しないように構成したものであり、第２には、滑り止め部材に、滑り止め部材の厚さ方向に延びる凹み部を形成したものである。
【０００８】
【実施例】
Ｐは、合成樹脂製パレットであり、全体を一体成形により、或いは、上部デッキボード側と下部デッキボード側とを別々に成形し、その後、融着することにより製造することができる。ｐ１は、パレットＰの四隅に形成された、上部デッキボードＰ’と下部デッキボードＰ”とを接続する角部支柱であり、ｐ２は、角部支柱ｐ１の中間に配置された、同じく上部デッキボードＰ’と下部デッキボードＰ”とを接続する中間支柱であり、ｐ３は、パレットＰの中央部に配置された、同じく上部デッキボードＰ’と下部デッキボードＰ”とを接続する中央支柱である。そして、角部支柱ｐ１と中間支柱ｐ２との間にフォーク差し込み孔ｐ４が形成されている。なお、パレットＰは、上記のような４本差しに限定されることなく、２本差しでもよい。
【０００９】
上部デッキボードＰ’のフォーク差し込み孔ｐ４が交差する領域で、且つ、フォークの上面が接触する部分には、後述する滑り止め部材が挿着される、上部デッキボードＰ’を貫通する滑り止め部材挿入孔１０が、所定数、形成されている。以下においては、滑り止め部材挿入孔１０が、上部デッキボードＰ’に形成されたリブ１１により囲まれた空間として構成されている例を用いて、実施例を説明するが、滑り止め部材挿入孔１０を、リブ１１により囲まれていない、上部デッキボードＰ’を貫通する孔として構成することもできる。
【００１０】
本実施例においては、図３及び図４に示されているように、上部デッキボードＰ’を形成するリブ１１のうち、相対する長辺リブ１１ａと相対する短辺リブ１１ｂにより、平面形状が矩形状の滑り止め部材挿入孔１０が形成されている。１２は、相対する長辺リブ１１ａの下端部を架橋するように配設された、一対の脱落防止バーであり、脱落防止バー１２の下面は、リブ１１の下面と位置するように形成されている。１３は、滑り止め部材挿入孔１０を形成するリブ１１の滑り止め部材挿入孔１０側の下部に、適当数、形成された、下面１３ａと傾斜面１３ｂを有する楔状の係止爪であり、本実施例においては、相対する短辺リブ１１ｂに、それぞれ、１個ずつ形成されており、また、相対する長辺リブ１１ａに、所定の間隔をおいて、それぞれ、２個ずつ形成されている。そして、楔状の係止爪１３の下面１３ａは水平面として形成されている。なお、相対する短辺リブ１１ｂに間隔が狭い場合には、短辺リブ１１ｂへの係止爪１３の形成を省略することもできる。
【００１１】
滑り止め部材挿入孔１０に挿着される滑り止め部材Ｓは、その高さ（厚さ）ｈが、滑り止め部材挿入孔１０を形成するリブ１１の高さより低く、滑り止め部材Ｓが滑り止め部材挿入孔１０に挿着されたときに、滑り止め部材Ｓの上面が、滑り止め部材挿入孔１０から出ないように構成されている。また、滑り止め部材Ｓは、その平面形状が、滑り止め部材挿入孔１０の平面形状と略同じ形に形成されており、本実施例においては、滑り止め部材挿入孔１０の平面形状が矩形状に形成されているので、図５に示されてように、滑り止め部材Ｓの平面形状も矩形状に形成されている。
【００１２】
滑り止め部材Ｓの外周面の中程の高さには、上述したリブ１１に形成された係止爪１３が挿入可能な高さ及び奥行きを有する係止爪用溝ｓ１が形成されている。滑り止め部材挿入孔１０に滑り止め部材Ｓを挿着した際に、上述した係止爪１３の下面１３ａが、係止爪用溝ｓ１を構成する上面ｓ１’と下面ｓ１”のうち、下面ｓ１”と当接するように構成されている。また、係止爪用溝ｓ１を構成する下面ｓ１”と該下面ｓ１”の下方に位置する滑り止め部材Ｓの側面ｓ２とにより形成される顎部ｓ３は、この部分に適当な弾力性を持たせるために、鋭角に形成されており、上記下面ｓ１”と側面ｓ２により形成される顎部ｓ３の顎角は、好ましくは、４５〜８５度の範囲に形成されることが好ましい。
【００１３】
滑り止め部材Ｓの下面には、上述した滑り止め部材挿入孔１０を形成する相対する長辺リブ１１ａの下端部を架橋するように配設された一対の脱落防止バー１２が挿入可能な脱落防止バー用溝ｓ４が、２本形成されている。この２本の脱落防止バー用溝ｓ４により、滑り止め部材Ｓの下部には、３本の蒲鉾状の凸部ｓ５が形成されている。ｓ６は、滑り止め部材Ｓの相対する長辺の中程に、滑り止め部材Ｓの厚さ方向に延びるように形成された縦長の凹み部であり、滑り止め部材Ｓが挿着された滑り止め部材挿入孔１０に、雨水や洗浄液等が入った場合の水はけの機能を有するものである。このような凹み部ｓ６は、滑り止め部材Ｓの相対する長辺の中程に形成する必要はなく、適当な位置に配設することができる。
【００１４】
上述した滑り止め部材Ｓは、上部デッキボードＰ’の上面側から滑り止め部材挿入孔１０に、脱落防止バー用溝ｓ４を下にして挿入される。そして、滑り止め部材挿入孔１０に挿入された滑り止め部材Ｓを、滑り止め部材Ｓの脱落防止バー用溝ｓ４に、滑り止め部材挿入孔１０に形成された脱落防止バー１２が挿入されるとともに、滑り止め部材Ｓの顎部ｓ３が、係止爪１３の傾斜面１３ｂを乗り越えて、滑り止め部材Ｓの係止爪用溝ｓ１の下面ｓ１”が、係止爪１３の下面１３ａと当接するまで押し下げる。このようにして、滑り止め部材挿入孔１０への滑り止め部材Ｓの挿着作業が終了するが、滑り止め部材Ｓが滑り止め部材挿入孔１０に挿着された時点で、上部デッキボードＰ’の下面から、滑り止め部材Ｓの蒲鉾状の凸部ｓ５の一部が突出するように構成されている。そして、フォーク差し込み孔ｐ４に挿入されたフォークの上面が、上部デッキボードＰ’の下面から突出している滑り止め部材Ｓの凸部ｓ５に当接し、フォークと上部デッキボードＰ’、即ち、パレットＰとの滑りが防止できる。
【００１５】
本発明は、上述したように、滑り止め部材挿入孔１０に挿着される滑り止め部材Ｓは、その高さ（厚さ）（ｈ）が、滑り止め部材挿入孔１０を形成するリブ１１の高さより低く、滑り止め部材Ｓが滑り止め部材挿入孔１０に挿着されたときに、滑り止め部材Ｓの上面が、滑り止め部材挿入孔１０から出ないように構成されているので、上部デッキボードＰ’の上面１ｂに載置された物品からの圧力に起因する、滑り止め部材Ｓの滑り止め部材挿入孔１０からの脱落がない。
【００１６】
また、このような滑り止め部材Ｓが下部デッキボードにも配設されている、所謂、両面使用パレットの場合には、滑り止め部材Ｓが、上部デッキボードＰ’の上面１ｂから突出していないので、空の両面使用パレットを段積みした際に、滑り止め部材Ｓ同士が接触し、くっつく、所謂、ブロッキングが防止できる。
【００１７】
更に、滑り止め部材挿入孔１０を構成する相対する長辺リブ１１ａの下端部を架橋するように、脱落防止バー１２を形成したので、滑り止め部材挿入孔１０への滑り止め部材Ｓの挿着作業の際に、滑り止め部材Ｓを下方に押しすぎても、滑り止め部材Ｓが脱落防止バー１２に当接するので、滑り止め部材挿入孔１０から脱落するようなことが防止できるとともに、長年使用した後に生じるリブ１１の変形等に起因する、挿着後の脱落をも防止することができる。また、手加減して、滑り止め部材Ｓを押圧する必要がないので、滑り止め部材Ｓの顎部ｓ３が、係止爪１３の傾斜面１３ｂを乗り越えて、確実に、滑り止め部材Ｓの係止爪用溝ｓ１の下面ｓ１”が、係止爪１３の下面１３ａに当接することができる。
【００１８】
更にまた、滑り止め部材Ｓの高さ（厚さ）ｈを低く（薄く）したので、滑り止め部材Ｓの重量を軽減することができ、従って、パレットＰ全体の重量を軽くすることができるとともに、省資源化が実現できる。
【００１９】
なお更に、滑り止め部材Ｓに、滑り止め部材Ｓの厚さ方向に延びる凹み部ｓ６を形成したので、滑り止め部材Ｓが挿着された滑り止め部材挿入孔１０に入った雨水や洗浄液等を排水することができる。
【００２０】
【発明の効果】
本発明は、以上説明した構成を有しているので、以下に記載する効果を奏するものである。
【００２１】
上部デッキボードに形成された滑り止め部材挿入孔に挿着される、フォークの上面と当接する滑り止め部材を、上部デッキボードの下面からは突出するが、上部デッキボードの上面からは突出しないように構成したので、上部デッキボードの上面に載置された物品からの圧力に起因する、滑り止め部材の滑り止め部材挿入孔からの脱落を防止することができるとともに、滑り止め部材を薄く構成したので、滑り止め部材の重量を軽減することができ、従って、パレット全体の重量を軽くすることができるとともに、省資源化が実現できる。
【００２２】
滑り止め部材挿入孔の下端部に、脱落防止バーを形成したので、滑り止め部材挿入孔への滑り止め部材の挿着作業の際に、滑り止め部材を下方に押しすぎても、滑り止め部材が脱落防止バーに当接するので、滑り止め部材挿入孔から脱落するようなことが防止できるとともに、手加減して、滑り止め部材を押圧する必要がないので、確実に、滑り止め部材を滑り止め部材挿入孔に挿着することができる。
【００２３】
滑り止め部材に、滑り止め部材の厚さ方向に延びる凹み部を形成したので、滑り止め部材が挿着された滑り止め部材挿入孔に入った雨水や洗浄液等を排水することができる。
【図面の簡単な説明】
【図１】図１は本発明の合成樹脂製パレットの平面図である。
【図２】図２は本発明の合成樹脂製パレットの側面図である。
【図３】図３は本発明の合成樹脂製パレットの上部デッキボードに形成された滑り止め部材挿入孔の平面図である。
【図４】図４は図３のＩ−Ｉ線に沿った一部側断面図である。
【図５】図５は本発明の合成樹脂製パレットの滑り止め部材の斜視図である。
【図６】図６は本発明の合成樹脂製パレットに配設された滑り止め部材等の一部断面を含む側面図である。
【図７】図７は従来の合成樹脂製パレットに配設された滑り止め部材等の側断面である。
【符号の説明】
Ｐ・・・・・・・・合成樹脂製パレット
Ｐ’・・・・・・・上部デッキボード
Ｓ・・・・・・・・滑り止め部材
１０・・・・・・・滑り止め部材挿入孔
１２・・・・・・・脱落防止バー
【図１】
0003957833.tif 000002
【図２】
0003957833.tif 000003
【図３】
0003957833.tif 000004
【図４】
0003957833.tif 000005
【図５】
0003957833.tif 000006
【図６】
0003957833.tif 000007
【図７】
0003957833.tif 000008